(57)【要約】      （修正有）【課題】屋内作業時、スポーツ時、就寝時等に、特に肩や上腕部の保温だけを望む場合に身丈の長さや身体への固定の面で極めて優れ、かつ様々な肩幅を有する着用者に適用できる肩着を提供する。【解決手段】本体（２）と袖部（１０）とからなる肩着（１）であって、本体は、身体の上胸部を両開きで覆う左右一対の前部（３，３）と、各前部が取り付けられて身体の上背部を覆う背部（４）とからなり、袖部は、前部と背部との側部に取り付けられて身体の少なくとも肩を覆うことができる短袖からなり、本体の各前部と背部は、脇部（５）で連結され、背部は、首部から身丈方向に左右に分離可能に形成されると共に第１の締結部材により横幅調整可能にかつ着脱可能に連結されている。本体の脇部と袖部の内側部は、連続して前後に分離可能に形成されると共に第２の締結部材により着脱可能に連結されている。【選択図】図１
2012102434.tif 000002
【特許請求の範囲】
【請求項１】
本体（２）と袖部（１０）とからなる肩着（１）であって、前記本体は、身体の上胸部を両開きで覆う左右一対の前部（３，３）と、前記各前部が取り付けられて身体の上背部を覆う背部（４）とからなり、前記袖部は、前記前部と前記背部との側部に取り付けられて身体の少なくとも肩部を覆うことができる短袖からなり、前記本体の前記各前部と前記背部は、脇部（５）で連結され、前記背部は、首部から身丈方向に左右に分離可能に形成されると共に第１の締結部材（６，７）により横幅調整可能にかつ着脱可能に連結されていることを特徴とする肩着。
【請求項２】
前記本体（２）の前記脇部（５）と前記袖部（１０）の内側部は、一体に前後に分離可能に形成されると共に第２の締結部材（８）により着脱可能に連結されていることを特徴とする請求項１に記載の肩着。
【請求項３】
前記袖部（１０）とは別体の延長袖部（１１）をさらに備え、前記袖部と前記延長袖部は、第３の締結部材（１２）により着脱可能に連結されていることを特徴とする請求項１又は２に記載の肩着。
【請求項４】
前記本体（２）及び前記袖部（１０）は、内部に保温材を備えることを特徴とする請求項１ないし３のいずれかに記載の肩着。
【発明の詳細な説明】
【技術分野】
【０００１】
本発明は、主として肩の保温のために使用されて好適な肩着に関する。
【背景技術】
【０００２】
冷えにより、日常的に肩や腕の痛みや凝りに悩まされている人々が多数存在することは周知のとおりである。この肩や腕などを冷えから守る衣服としては、着る物として、例えばコート、ジャンパー、ジャケット等があり、また、羽織るものや巻くものとしては、例えばマフラー、ショール、ストール、肩当て等がある。この他、首や肩の保温を目的とするものとして、例えば以下の特許文献に記載されているものがある（例えば、特許文献１〜３参照）。
【先行技術文献】
【特許文献】
【０００３】
【特許文献１】特開２００９−１８９７７４号公報（図１）
【特許文献２】特開２００７−２１１３８３号公報（図１）
【特許文献３】特開２００８−２５５５４５号公報（図１）
【発明の概要】
【発明が解決しようとする課題】
【０００４】
しかしながら、上述の従来のコート、ジャンパー、ジャケット等は、主として外出のときに用いられ、しかも全身の保温が必要なことがら身丈が長く、肩や上腕部の保温だけを望む場合に、非常に着用性の悪いものとなっている。このため、屋内作業やスポーツを行うときには、あまり着用されない。また、就寝時に布団からはみ出す肩や上腕部の保温だけを望む場合にも、その身丈の長さが災いして使用することが出来ないという問題がある。
【０００５】
また、この従来のコート、ジャンパー、ジャケット等は、各サイズに応じて肩幅寸法がそれぞれ一定に製作されるため、製作者は様々な肩幅寸法のものを用意しなければならない。また購入者は、着用者の肩幅にそれぞれ適した肩幅寸法のものを購入しなければならないという無駄が発生するという問題がある。
【０００６】
この一方、上述の従来のマフラー、ショール、ストールや、特許文献に開示された肩当て等は、身体への固定部分がなく、身体を激しく動かすことが多い屋内作業時やスポーツ時に、着用することが難しいという問題がある。
【０００７】
本発明は、このような問題を解決するためになされたもので、屋内作業時、スポーツ時、就寝時等に、特に肩や上腕部の保温だけを望む場合に、身丈の長さや身体への固定の面で極めて優れ、かつ、様々な肩幅の着用者に適用することができる肩着を提供することを課題とする。
【課題を解決するための手段】
【０００８】
上述の課題を解決するために、本発明が採用する手段は、本体と袖部とからなる肩着であって、本体は、身体の上胸部を両開きで覆う左右一対の前部と、各前部が取り付けられて身体の上背部を覆う背部とからなり、袖部は、前部と背部との側部に取り付けられて身体の少なくとも肩部を覆うことができる短袖からなり、本体の各前部と背部は、脇部で連結され、背部は、首部から身丈方向に左右に分離可能に形成されると共に第１の締結部材により横幅調整可能にかつ着脱可能に連結されたことにある。
【０００９】
このように、本発明の肩着は、身体の上胸部を両開きで覆う左右一対の前部と、各前部が取り付けられて身体の上背部を覆う背部とからなり、また、前部と背部との側部に取り付けられる袖部は、身体の少なくとも肩部を覆うことができる短袖からなるから、特に肩や上腕部を集中的に保温することができる。
【００１０】
また、覆っているのは主として肩であるから、身丈が極めて短く、非常に着用性がよいから、屋内作業やスポーツなどを行うときに身丈部分が邪魔にならず運動性に優れる。また、就寝時に布団からはみ出す肩や上腕部の保温だけを集中的に行なうことができ、就寝時にも身丈部分が邪魔にならない。
【００１１】
さらに、本体の各前部と背部は脇部で連結されているから、その連結されている脇部に腕を通すことにより身体への固定が確実になされ、身体を激しく動かすことが多い屋内作業時やスポーツ時などにも確実に着用することができる。
【００１２】
これに加えて、背部は、首部から身丈方向に左右に分離可能であると共に、第１の締結部材により横幅調整可能にかつ着脱可能に連結されているから、着用者の肩幅に応じてその横幅を最適に調整することができる。これにより、製作者は様々な肩幅寸法のものを用意する必要がなくなり、また着用者は、肩幅寸法を考慮することなく肩着を購入することができる。
【００１３】
上記肩着において、本体の脇部から袖部の内側部にかけて連続して前後に分離可能に形成されると共に、第２の締結部材により着脱可能に連結されていることが望ましい。このように、本体の脇部から袖部の内側部にかけて、連続して前後に分離可能に形成されるから、着用時に腕を袖部に通す必要がなくなり、身体が不自由な者、老人、病人等も容易に着用することができる。
【００１４】
上記肩着において、袖部とは別体の延長袖部を有し、袖部と延長袖部は、第３の締結部材により着脱可能に連結されていることが望ましい。このように、袖部とは別体の延長袖部を有し、袖部と延長袖部は、第３の締結部材により着脱可能に連結されているから、必要により袖を片腕ずつ長くすることができる。
【００１５】
上記肩着において、本体と袖部は、内部に保温材を有することが望ましい。このように、本体と袖部の内部に保温材を有することにより、保温性を一段と高めることができる。
【発明の効果】
【００１６】
本発明の肩着は、本体と袖部とからなる肩着であって、本体は、身体の上胸部を両開きで覆う左右一対の前部と、各前部が取り付けられて身体の上背部を覆う背部とからなり、袖部は、前部と背部との側部に取り付けられて身体の少なくとも肩部を覆うことができる短袖からなり、本体の各前部と背部は、脇部で連結され、背部は、首部から身丈方向に左右に分離可能に形成されると共に第１の締結部材により横幅調整可能にかつ着脱可能に連結されているから、屋内作業時、スポーツ時、就寝時等に、特に肩や上腕部の保温だけを望む場合に、身丈の長さや身体への固定の面で極めて優れると共に、様々な肩幅の着用者に適用することができるという格別の効果を奏する。
【図面の簡単な説明】
【００１７】
【図１】本発明の肩着を示す正面図である。
【図２】図１の肩着が左右に２つに完全に分離された状態を示す正面図である。
【図３】図２の第１の締結部材の別の態様を示す正面図である。
【図４】図１の肩着のＡ部分について示す部分底面図である。
【図５】図１の肩着の変形を示す正面図である。
【発明を実施するための形態】
【００１８】
本発明に係る肩着を実施するための形態を、図１ないし図５を参照して詳細に説明する。
【００１９】
図１に示すように、肩着１は、本体２と左右一対の袖部１０，１０とからなる。本体２は、身体の上胸部を両開きで覆う左右一対の前部３，３と、各前部３が取り付けられて身体の上背部を覆う背部４とからなる。各袖部１０は、本体２の前部３と背部４との側部に取り付けられて、身体の肩ないし上腕部を覆うことができる短袖からなる。本体２の各前部３と背部４は、脇部５で連結されている。
【００２０】
図２に示すように、背部４は、その略中央部分で首部から身丈方向に、左右に完全に２つに分離可能に形成される。また、分離される２つの背部４ａ，４ｂの内側端部には、横幅の広いマジックテープ（登録商標）（第１の締結部材）６が身丈方向に取り付けられる。
【００２１】
このように、マジックテープ６は横幅が広いから、マジックテープ６の左右部材の留め位置を調整することにより、肩着１の横幅を着用者の肩幅に応じて最適に変化させることができる。すなわち、２つの背部４ａ，４ｂは、このマジックテープ６により、本体２の横幅、つまり肩着１の肩幅寸法を連続的に調整可能に、かつ着脱可能に連結されている。
【００２２】
なお、横幅の広いマジックテープ６を用いる代わりに、図３に示すように、幅細のマジックテープ（第１の締結部材）７を身丈方向に、かつ横方向に複数列だけ並べて取り付けてもよい。このようにすることによっても、本体２の横幅、つまり肩着１の肩幅寸法を調整可能に、かつ着脱可能に連結することができる。また、第１の締結部材は、必ずしもマジックテープ６，７に限定されるものではなく、本体２の横幅、つまり肩着１の肩幅寸法を連続的に又は段階的に調整可能に、かつ着脱可能に連結することができるものであれば、どのようなものでもよい。
【００２３】
このように、本発明の肩着１は、本体２が、身体の上胸部を両開きで覆う左右一対の前部３，３と、各前部３が取り付けられて身体の上背部を覆う背部４とからなり、また、前部３，３と背部４との側部に取り付けられる袖部１０，１０は、身体の少なくとも肩部を覆うことができる短袖からなるから、特に肩や上腕部を集中的に保温することができる。
【００２４】
また、覆っているのは主として肩であるから、身丈が極めて短く、非常に着用性がよいから、屋内作業やスポーツなどを行うときには身丈部分が邪魔にならず運動性がよい。野球の投手の肩冷え対策や、極冷時のゴルフなどに使用されて最適である。
【００２５】
また、就寝時に、布団からはみ出す肩や上腕部の保温だけを集中的に行なうことができ、しかも身丈部分が邪魔にならない。。特に真夏時のエアコン使用時にこの肩着１を着用すれば、就寝時における肩や上腕部の冷えを確実に防止することができる。
【００２６】
さらに、本体２の各前部３と背部４は脇部５で連結されているから、脇部５に腕を通すことにより身体への固定が確実になされ、身体を激しく動かすことが多い屋内作業時やス
ポーツ時などにも、確実に着用することができる。
【００２７】
これに加えて、背部４は、首部から身丈方向に左右に２つに完全に分離可能であると共に、マジックテープ６，７により横幅調整可能に、かつ着脱可能に連結されている。したがって、着用者の肩幅に応じて肩着１の横幅を最適に調整することができる。これにより、製作者は様々な肩幅寸法のものを用意する必要がなくなり、また着用者は、肩幅寸法を考慮することなく肩着１を購入することができる。
【００２８】
図４に示すように、本体２と袖部１０は、本体２の脇部５から袖部１０の内側部にかけて、連続して前後に完全に分離可能に形成され、マジックテープ（第２の締結部材）８により着脱可能に連結されている。
【００２９】
このように、本体２の脇部５から袖部１０の内側部にかけて、連続して前後に完全に分離可能に形成されているから、着用時に腕を肩着１の袖部１０に通す必要がなくなり、身体が不自由な者、老人、病人等も容易に着用することができる。また、マジックテープ８に幅広のものを使用すれば、その部分で多少のサイズ調整も可能となる。なお、この第２の締結部材は、必ずしもマジックテープ８に限定されるものではない。
【００３０】
図５に示すように、袖部１０とは別体の延長袖部１１が形成され、袖部１０と延長袖部１１は、完全に分離可能であると共に、マジックテープ（第３の締結部材）１２により着脱可能に連結されている。このように、袖部１０とは別体の延長袖部１１を有し、袖部１０と延長袖部１１は、マジックテープ１２により着脱可能に連結されているから、袖を片腕ずつ長くすることができ、必要により腕の保温性を一段と高めることができる。
【００３１】
また、上記本体２、袖部１０、延長袖部１１の各内部には、羽毛、ウレタン材などの保温材が縫い込まれている。したがって、肩や腕の保温性に極めて優れている。
【００３２】
なお、上述の肩着は一例にすぎず、本発明の趣旨に基づいて種々の変形が可能であり、それらを本発明の範囲から排除するものではない。例えば、第１ないし第３の締結部材は、上述のマジックテープに限定されるものではなく、例えば該当箇所にホック類を複数列だけ並設して、肩着を横幅調整可能にしてもよい。また、肩着の第１ないし第３の締結部材によって相互に締結される各部材は、必ずしも上述のように完全に分離可能にする必要はなく、一部が連続したものでもよい。
【産業上の利用可能性】
【００３３】
本発明の肩着は、必ずしも保温を目的とする場合に限定されず、使用する布地や内部構造の変更等により、あらゆる用途に広く利用することができる。
【符号の説明】
【００３４】
１  肩着
２  本体
３  前部
４，４ａ，４ｂ  背部
５  脇部
６，７ マジックテープ（第１の締結部材）
８  マジックテープ（第２の締結部材）
１０  袖部
１１  延長袖部
１２  マジックテープ（第３の締結部材）
【図１】
2012102434.tif 000003
【図２】
2012102434.tif 000004
【図３】
2012102434.tif 000005
【図４】
2012102434.tif 000006
【図５】
2012102434.tif 000007